(57)【要約】      （修正有）【課題】発光ダイオードからの光を広範囲に、且つ幻想的に外部へ照射すると共に、従来の発光ダイオードに比べ高い発光輝度を実現し、さらに、消費電力を大幅に削減することができるＬＥＤ照明器具を提供すること。【解決手段】ＬＥＤ照明器具１は、発光体１０と、発光体１０を収容するケース本体２とからなる照明器具において、前記ケース本体２内に、発光体１０を対向する状態で配設させると共に、前記発光体１０間に、反射体５を具備させたことを特徴とする。【選択図】図１
0003144194.tif 000002
【実用新案登録請求の範囲】
【請求項１】
発光体と、発光体を収容するケース本体とからなる照明器具において、
前記ケース本体内に、発光体を対向する状態で配設させると共に、前記発光体間に、反射体を具備させたことを特徴とするＬＥＤ照明器具。
【請求項２】
前記発光体は、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなる請求項１記載のＬＥＤ照明器具。
【請求項３】
前記発光体の光学媒体に色彩を施した請求項２記載のＬＥＤ照明器具。
【請求項４】
前記反射体に、発光体から発光された光を乱反射させる凹凸部を形成した請求項１記載のＬＥＤ照明器具。
【請求項５】
前記ケース本体の表面に、発光体から発光された光を拡散させる拡散部を施した請求項１記載のＬＥＤ照明器具。
【請求項６】
前記ケース本体に、発光体を発光させるＡＣ電源または太陽電池装置を具備した請求項１記載のＬＥＤ照明器具。
【請求項７】
前記太陽電池装置に、入力電圧を無段階に調整する可変交流電圧器を具備した請求項６記載のＬＥＤ照明器具。
【請求項８】
前記太陽電池装置に電気二重層キャパシタを備えた請求項６または７記載のＬＥＤ照明器具。
【考案の詳細な説明】
【技術分野】
【０００１】  本考案は、発光ダイオードを具備した照明器具において、特に、発光ダイオードからの光を広範囲に、且つ幻想的に外部へ照射すると共に、消費電力を大幅に削減することができるＬＥＤ照明器具に関する。
【背景技術】
【０００２】  従来、複数個のＬＥＤを直列あるいは並列接続したものを光源とする照明器具において、対象物に照射する光をより自然光に近づけ、対象物の視認性に優れた発光ダイオードを用いた照明器具がある（例えば、特許文献１参照）。
上掲特許文献１の発光ダイオードを用いた照明器具は、複数個のＬＥＤを直列あるいは並列接続したものを光源とする照明器具において、少なくとも二色以上の発光色のＬＥＤを組合わせて光源としたことを特徴とする。
【特許文献１】特開２００２−３７３５０７号公報
【考案の開示】
【考案が解決しようとする課題】
【０００３】  しかしながら、上掲特許文献１の発光ダイオードを用いた照明器具は、発光ダイオードから発光された光が直接外部へ照射させるため、照射範囲が限定されるという欠点があった。また光源には、汎用の発光ダイオードが使用されるため、発光輝度を高めることもできなかった。【０００４】  そこで本考案は上記の点に鑑み、発光ダイオードからの光を広範囲に、且つ幻想的に外部へ照射すると共に、従来の発光ダイオードに比べ高い発光輝度を実現し、さらに、消費電力を大幅に削減することができるＬＥＤ照明器具を提供することにある。
【課題を解決するための手段】
【０００５】  上記問題を解決するために本考案のＬＥＤ照明器具は、発光体と、発光体を収容するケース本体とからなる照明器具において、前記ケース本体内に、発光体を対向する状態で配設させると共に、前記発光体間に、反射体を具備させたことを特徴とする。【０００６】  また前記発光体は、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなる。【０００７】  また、前記発光体の光学媒体に色彩を施した。また前記反射体に、発光体から発光された光を乱反射させる凹凸部を形成した。さらに前記ケース本体の表面に、発光体から発光された光を拡散させる拡散部を施した。【０００８】  また前記ケース本体に、発光体を発光させるＡＣ電源または太陽電池装置を具備した。また前記太陽電池装置に、入力電圧を無段階に調整する可変交流電圧器を具備した。さらに、前記太陽電池装置に電気二重層キャパシタを備えてもよい。
【考案の効果】
【０００９】  照明器具のケース本体内に、発光体を対向する状態で配設させると共に、前記発光体間に、凹凸部を有する反射体を具備させたことにより、発光ダイオードからの光を広範囲に、且つ幻想的に外部へ照射することができる。【００１０】  また前記発光体は、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなるため、従来の発光ダイオードに比べ高い発光輝度を実現すると共に、消費電力を大幅に削減することができる。
【考案を実施するための最良の形態】
【００１１】  以下、本考案におけるＬＥＤ照明器具の実施の形態を図面に基づき説明する。
図１は本考案のＬＥＤ照明器具の全体斜視図、図２は前記ＬＥＤ照明器具の断面図、図３は他の好適例を示すＬＥＤ照明器具の全体斜視図、図４は前記ＬＥＤ照明器具の断面図、図５の（ａ）（ｂ）は発光体の詳細を示す。【００１２】  図１および図２に示すＬＥＤ照明器具１は、発光体１０と、発光体１０を収容するケース本体２とからなり、前記ケース本体２内に、発光体１０を対向する状態で配設させると共に、前記発光体１０間に反射体５を具備させたことを特徴とする。【００１３】  ケース本体２は、細長状の筒状体を呈しており、発光体１０から照射される光を外部に照らし出すことができる透光性を有する素材、例えばアクリル樹脂、若しくはガラス材にて形成されている。また、前記ケース本体２を、照射される光を和らげるため乳白色に着色してもよい。なお、本考案のＬＥＤ照明器具１において、発光体１０と反射体５との間隔は特に限定されないが、間隔が短いほうがより高い発光輝度が得られる。【００１４】  またケース本体２の両端部には、対向する状態に発光体１０が装着されている。前記発光体１０は基台３に装着されており、基台３内にはＡＣ電源より接続されている電源コード４が配設されている。【００１５】  発光体１０は、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなる。【００１６】  前記発光体１０は、光源から前面に放射される光を集束してスポット状に照射することができる光学媒体１１とからなる。また両面発光構造の半導体発光素子を用いた場合において、裏面側への発光成分を含めて、すべての迷光成分が、有効に照明に寄与出来るようにすることを可能とし、特に、その数を多数必要とすることなく、所望の照度をえることが可能な発光体である。【００１７】  また発光体１０は、小型化・低価格化が期待できると共に、スポット照射のみならず拡散にも適用できる。また、長寿命、低消費電力、ノイズレス、紫外線を出さない、光のちらつき（フリッカー）がない、光強度調節が容易、低温光源、安定性が高い、変調が容易、スイッチング特性が優位、フルカラー対応、指向性が高い、光変換効率が格段に高い等数多くのメリットを有している。【００１８】  また前記発光体１０は、図５の（ａ）に示すように、発光面となる前面と、前面に対向した後面と、前面と後面とを接続する光伝送部と、後面の一部から前面方向に沿って光伝送部の内部に形成された凹部とを少なくとも有する光学媒体（バルクレンズ）１１と、凹部に収納された半導体発光素子１２と、光学媒体１１の後面に配置された背面鏡１３とからなる。また背面鏡１３は、光学媒体１１の側面の一部にまで延長されて形成されている。なお、この発光体は、特許第３３００７７８号公報に開示された公知の技術であり、本考���のＬＥＤ照明器具１は、上記発光体１０を使用したものである。【００１９】  また図５の（ｂ）は、前記発光体１０の対応する断面図であり、１４はＬＥＤホルダー、１５はチップ、１６は樹脂モールド、１７は第１のピン、１８は第２のピン、１９は屈折率をそれぞれ示す。【００２０】  また他の好適例として、前記発光体１０の光学媒体１１に色彩を施すことが望ましい。施す色彩は輝度の高いオレンジ、イエロー、レッド等が好ましく、その他にもブルーやグリーンを施すこともできる。さらに、色彩を施す光学媒体１１の数量を任意に変更してもよい。【００２１】  前記反射体５は、二つの円錐体を底面部で連結した形状を呈しており、ケース本体２の略中央部分に具備されている。また特に、前記反射体５の表面には、発光体１０から発光された光を乱反射させる凹凸部６が形成されている。前記凹凸部６は、図示するように、それぞれの発光体１０から発光された光を乱反射させ、ケース本体２の外部へ照射させるものである。また前記凹凸部６は、光の反射効率の高い素材であることが望ましく、例えば、製造工程やコストを考慮した際、皺加工を施したアルミ箔を反射体５の表面に貼着させることが好ましい。【００２２】  また他の好適例として、前記ケース本体２の表面に、発光体１０から発光された光を拡散させる拡散部７を施した。該拡散部７は、ケース本体２の表面長手方向に、波状の凹凸を並設した凹凸加工を施すことにより形成される。前記ケース本体２の表面に拡散部７を施すことにより、発光体１０から発光される光は反射体５で乱反射され、乱反射された光は幻想的に拡散された状態で外部に照射される。なお、前記拡散部７は、ケース本体２の表面径方向に並設してもよい。【００２３】  また、本考案のＬＥＤ照明器具は、図３および図４に示すように、ケース本体２を大筒状とし、基台３に複数の発光体１０を具備したものでもよい。またこの際、ケース本体２の一端部、若しくは両端部に太陽電池装置２０を具備することができる。太陽電池装置２０は、ソーラーパネル２１と、充電器、光センサーからなる発電部２２からなる。【００２４】  また他の好適例として、前記太陽電池装置２０に入力電圧を無段階に調整する可変交流電圧器２３を具備した。可変交流電圧器２３は、入力電圧を無段階に、且つ連続的に調整するもので、一般的に変圧器または摺動変圧器と呼ばれている。可変交流電圧器２３を具備することで、発光体１０の発光輝度を自在に調整することができる。【００２５】  また他の好適例として、前記太陽電池装置２０に電気二重層キャパシタ２４を具備することが望ましい。前記電気二重層キャパシタ２４は、極めて短時間に充電でき、しかも長時間の放電を可能とする。また内部抵抗が低く、充放電時における熱損失が小さいため、充放電を繰り返しても劣化が極めて少ないという特徴を有する。太陽電池装置２０に電気二重層キャパシタ２４を具備したことにより、発光体１０を発光させる際、経済性や利便性で優れた効果が得られる。【００２６】  前記ＬＥＤ照明器具１に太陽電池装置２０、可変交流電圧器２３、電気二重層キャパシタ２４を具備することで、経済性に優れると共に、ＬＥＤ照明器具１を置き型、壁掛け型、携帯型等、多用途に使用することができる。
【図面の簡単な説明】
【００２７】
【図１】本考案のＬＥＤ照明器具の全体斜視図である。
【図２】前記ＬＥＤ照明器具の断面図である。
【図３】他の好適例を示すＬＥＤ照明器具の全体斜視図である。
【図４】図３に示すＬＥＤ照明器具の断面図である。
【図５】（ａ）は発光体を示す模試的な鳥瞰図、（ｂ）は対応する断面図である。
【符号の説明】
【００２８】１    ＬＥＤ照明器具
２    ケース本体
３    基台
４    電源コード
５    反射体
６    凹凸部
７    拡散部
１０  発光体
１１  光学媒体
１２  半導体発光素子
１３  背面鏡
１４  ＬＥＤホルダー
１５  チップ
１６  樹脂モールド
１７  第１のピン
１８  第２のピン
１９  屈折率
２０  太陽電池装置
２１  可変交流電圧器
２２  発電部
２３  可変交流電圧器
２４  電気二重層キャパシタ
【図１】
0003144194.tif 000003
【図２】
0003144194.tif 000004
【図３】
0003144194.tif 000005
【図４】
0003144194.tif 000006
【図５】
0003144194.tif 000007